(57)【要約】【課題】基礎と地下スラブとを構築するにあたって、工期の短縮を図り易く、躯体品質の向上も図り易い基礎構築方法を提供する。【解決手段】基礎とその上縁に隣接する地下スラブとを構築する範囲を含めて地盤Ｇを掘削し、その掘削範囲における基礎の外周面に相当する位置に型枠４を立設し、型枠４とその外方の地盤Ｇとの間に流動化固化材５を充填して、基礎の外周面と地下スラブの下面Ｂ１とにそれぞれ対応させる表面６，７を備えた充填型枠部１を形成し、充填型枠部１に沿わせて基礎と地下スラブとの配筋、及び、コンクリートの打設を行って基礎と地下スラブとを構築する。【選択図】図４
2015055089.tif 000002
【特許請求の範囲】
【請求項１】
基礎と、その上縁に隣接する地下スラブとを構築する範囲を含めて地盤を掘削し、
その掘削範囲における前記基礎の外周面に相当する位置に型枠を立設し、
前記型枠とその外方の地盤との間に流動化固化材を充填して、前記基礎の外周面と前記地下スラブの下面とにそれぞれ対応させる表面を備えた充填型枠部を形成し、
前記充填型枠部に沿わせて前記基礎と前記地下スラブとの配筋、及び、コンクリートの打設を行って前記基礎と前記地下スラブとを構築する基礎構築方法。
【請求項２】
前記型枠は、立設状態において、その上端部が、前記地下スラブの下面以上に位置する高さ寸法のものを用いると共に、前記充填型枠部の形成後、コンクリートの打設前に脱型する請求項１に記載の基礎構築方法。
【請求項３】
基礎の外周面に相当する位置に土留め板を設けながら、前記基礎と、その上縁に隣接する地下スラブとを構築する範囲を含めて地盤を掘削し、
前記土留め板の背面側の地盤上に、前記地下スラブ用の捨てコンを打設し、
前記土留め板の前面側と前記捨てコンの上方とにわたって、前記基礎と前記地下スラブとの配筋、及び、コンクリートの打設を行って前記基礎と前記地下スラブとを構築する基礎構築方法。
【請求項４】
前記土留め板は、その上端部が前記地下スラブの下面以下に位置する状態に設置して、撤去せずに存置させる請求項３に記載の基礎構築方法。
【発明の詳細な説明】
【技術分野】
【０００１】
本発明は、地盤を掘削して、基礎と、その上縁に隣接する地下スラブとを構築する基礎構築方法に関する。
【背景技術】
【０００２】
特許文献１には、基礎を構築する範囲を含めて地盤を掘削し、その掘削範囲を囲む土留め壁を設けると共に、掘削範囲における基礎の外周面に相当する位置に型枠を立設し、型枠と土留め壁との間に流動化固化材を充填して、基礎の外周面に対応させる表面を備えた充填型枠部を形成し、充填型枠部に沿わせて基礎の配筋、及び、コンクリートの打設を行って基礎を構築する基礎構築方法が開示されている。
したがって、地下スラブは、先行して構築した基礎の上縁に隣接して構築することになる。また、地下スラブを構築するコンクリートは、基礎を構築した後のコンクリートに打ち継ぐ形態で打設することになる。
【先行技術文献】
【特許文献】
【０００３】
【特許文献１】特開平１０−１５９０７４号公報
【発明の概要】
【発明が解決しようとする課題】
【０００４】
上記従来の基礎構築方法では、先行して構築した基礎の上縁に隣接して地下スラブを構築するので、工期の短縮を図り難い。また、基礎を構築するコンクリートと地下スラブを構築するコンクリートとの打ち継部分が生じるので、基礎と地下スラブとの一体性が損なわれ、躯体品質の向上も図り難い。
本発明は上記実情に鑑みてなされたものであって、基礎と地下スラブとを構築するにあたって、工期の短縮を図り易く、躯体品質の向上も図り易い基礎構築方法を提供することを目的とする。
【課題を解決するための手段】
【０００５】
本発明による基礎構築方法の特徴構成は、基礎と、その上縁に隣接する地下スラブとを構築する範囲を含めて地盤を掘削し、その掘削範囲における前記基礎の外周面に相当する位置に型枠を立設し、前記型枠とその外方の地盤との間に流動化固化材を充填して、前記基礎の外周面と前記地下スラブの下面とにそれぞれ対応させる表面を備えた充填型枠部を形成し、前記充填型枠部に沿わせて前記基礎と前記地下スラブとの配筋、及び、コンクリートの打設を行って前記基礎と前記地下スラブとを構築する点にある。
【０００６】
本構成の基礎構築方法は、基礎と地下スラブとを構築する範囲を含めて地盤を掘削して、その掘削範囲における基礎の外周面に相当する位置に型枠を立設し、型枠と地盤との間に流動化固化材を充填して、基礎の外周面と地下スラブの下面とに対応させる表面を備えた充填型枠部を形成する。
これにより、基礎と地下スラブとを一度に構築できる充填型枠部を形成する。
そして、充填型枠部に沿わせて基礎と地下スラブとの配筋、及び、コンクリートの打設を行って、基礎と地下スラブとを一度に構築する。
【０００７】
したがって、本構成の基礎構築方法であれば、基礎と地下スラブとを一度に構築できるので、工期の短縮を図り易い。また、基礎を構築するコンクリートと地下スラブを構築するコンクリートとの打ち継部分が生じないので、基礎と地下スラブとの一体性が損なわれず、躯体品質の向上を図り易い。
【０００８】
本発明の他の特徴構成は、前記型枠は、立設状態において、その上端部が、前記地下スラブの下面以上に位置する高さ寸法のものを用いると共に、前記充填型枠部の形成後、コンクリートの打設前に脱型する点にある。
【０００９】
本構成であれば、上端部が地下スラブの下面以上に位置するように型枠を立設するので、型枠と地盤との間に流動化固化材を地下スラブの下面に対応する高さまで充填して、地下スラブの下面に対応させる表面を備えた充填型枠部を容易に形成できる。
【００１０】
本発明による基礎構築方法の特徴構成は、基礎の外周面に相当する位置に土留め板を設けながら、前記基礎と、その上縁に隣接する地下スラブとを構築する範囲を含めて地盤を掘削し、前記土留め板の背面側の地盤上に、前記地下スラブ用の捨てコンを打設し、前記土留め板の前面側と前記捨てコンの上方とにわたって、前記基礎と前記地下スラブとの配筋、及び、コンクリートの打設を行って前記基礎と前記地下スラブとを構築する点にある。
【００１１】
本構成の基礎構築方法は、基礎の外周面に相当する位置に土留め板を設けながら、基礎と地下スラブとを構築する範囲を含めて地盤を掘削して、土留め板の背面側の地盤上に地下スラブ用の捨てコンを打設する。
これにより、基礎と地下スラブとを一度に構築できる型枠部を、土留め板と地下スラブ用の捨てコンとで形成する。
そして、土留め板の前面側と捨てコンの上方とにわたって、基礎と地下スラブとの配筋、及び、コンクリートの打設を行って、基礎と地下スラブとを一度に構築する。
なお、捨てコンは、コンクリートやモルタル、セメント液、ソイルセメントなどの種々の流動化固化材で構成することができる。
【００１２】
したがって、本構成の基礎構築方法であれば、基礎と地下スラブとを一度に構築できるので、工期の短縮を図り易い。また、基礎を構築するコンクリートと地下スラブを構築するコンクリートとの打ち継部分が生じないので、基礎と地下スラブとの一体性が損なわれず、躯体品質の向上を図り易い。
【００１３】
本発明の他の特徴構成は、前記土留め板は、その上端部が前記地下スラブの下面以下に位置する状態に設置して、撤去せずに存置させる点にある。
【００１４】
本構成であれば、土留め板の上端部が地下スラブの下面を越えて上方に突出することがないので、地下スラブ用の捨てコンが地下スラブの下面を越えて厚く打設されるおそれがなく、地下スラブの必要とされる最低厚さを確保し易い。
また、土留め板の撤去作業を省略して施工性の向上を図れると共に、土留め板を存置させた状態で基礎と地下スラブとを構築しても、土留め板が地下スラブの側に入り込むことがなく、地下スラブの強度を確保し易い。
【図面の簡単な説明】
【００１５】
【図１】基礎（地中梁）とその上縁に隣接する地下スラブとを示す断面図である。
【図２】基礎構築方法を説明する断面図である。
【図３】基礎構築方法を説明する断面図である。
【図４】基礎構築方法を説明する断面図である。
【図５】基礎構築方法を説明する断面図である。
【図６】第２実施形態の基礎（地中梁）とその上縁に隣接する地下スラブとを示す断面図である。
【図７】第２実施形態の基礎構築方法を説明する断面図である。
【図８】第２実施形態の基礎構築方法を説明する断面図である。
【図９】第２実施形態の基礎構築方法を説明する断面図である。
【発明を実施するための形態】
【００１６】
以下に本発明の実施の形態を図面に基づいて説明する。
〔第１実施形態〕
図１は、本発明による基礎構築方法で構築された鉄筋コンクリート製の地中梁（基礎）Ａと、その上縁に隣接する鉄筋コンクリート製の地下スラブＢとを示す。
地中梁Ａと地下スラブＢは、充填型枠部（地山型枠）１にコンクリート１０を一度に打設して、コンクリート１０の打ち継部分が存在しない一体に構築されている。
【００１７】
本発明による基礎構築方法を、図２〜図５に基づいて説明する。
図２に示すように、地中梁Ａと地下スラブＢとを構築する範囲を含めて地盤Ｇを掘削し、地中梁Ａに対応する掘削部２の底部に地中梁Ａの下面Ａ１に相当する高さになるように捨てコン３を打設する。
【００１８】
次に、図３に示すように、その掘削範囲における地中梁Ａの左右側面（外周面）Ａ２に相当する位置に沿わせて、捨てコン３の上面に型枠４を立設する。
型枠４は、その上端部４ａが地下スラブＢの下面Ｂ１に相当する高さ以上に位置する高さ寸法で立設する。
なお、型枠４は、地中梁Ａの左右側面Ａ２に相当する位置に沿う側面を備えた鋼製の箱状に形成したものであってもよい。
【００１９】
次に、図４に示すように、型枠４とその外方の地盤Ｇとの間に、例えば掘削土とセメント系の地盤改良材とを混合した流動化固化材５を充填して、地中梁Ａの左右側面Ａ２に対応させる表面６と地下スラブＢの下面Ｂ１に対応させる表面７とを備えた充填型枠部１を形成する。
【００２０】
次に、型枠４を撤去（脱型）して、図５に示すように、充填型枠部１に沿わせて地中梁Ａと地下スラブＢの配筋を行った後、コンクリート１０を一度に打設して、図１に示すように、地中梁Ａと地下スラブＢとを構築する。
地中梁Ａと地下スラブＢの配筋は、工場などで予めカゴ状に組み付けられた地中梁用鉄筋先組体９ａと地下スラブ用鉄筋先組体９ｂとを一体に設置して行ってもよい。
【００２１】
〔第２実施形態〕
図６は、第１実施形態とは異なる本発明による基礎構築方法で構築された鉄筋コンクリート製の地中梁（基礎）Ａと、その上縁に隣接する鉄筋コンクリート製の地下スラブＢとを示す。
地中梁Ａと地下スラブＢは、コンクリート１０を一度に打設して、コンクリート１０の打ち継部分が存在しない一体に構築されている。
【００２２】
本発明による基礎構築方法を、図７〜図９に基づいて説明する。
図７に示すように、鋼製の支持杭１１で倒れ止めされる木製の土留め板１２を設けながら、地中梁Ａと地下スラブＢとを構築する範囲を含めて地盤Ｇを掘削する。
【００２３】
すなわち、地下スラブＢを構築する範囲を含めて地盤Ｇを掘削し、さらに、地中梁Ａの左右側面（外周面）Ａ２に相当する位置に沿わせて土留め板１２を設けながら、地中梁Ａを構築する範囲を含めて地盤Ｇを掘削する。
土留め板１２は、その上端部１２ａが地下スラブＢの下面Ｂ１以下に位置する状態に設置する。
【００２４】
次に、図８に示すように、地中梁Ａに対応する掘削部２の底部に、左右の土留め板１２にわたって地中梁Ａの下面Ａ１に相当する高さになるように地中梁用の捨てコン１４を打設し、土留め板１２の背面側の地盤上に、地下スラブＢの下面Ｂ１に相当する高さになるように地下スラブ用の捨てコン１５を打設する。
【００２５】
次に、図９に示すように、左右の土留め板１２の前面側と、地下スラブ用の捨てコン１５の上方とにわたって、地中梁Ａと地下スラブＢの配筋を行った後、土留め板１２および支持杭１１を撤去せずに存置させてコンクリート１０を一度に打設し、図６に示すように、地中梁Ａと地下スラブＢとを構築する。
地中梁Ａと地下スラブＢの配筋は、工場などで予めカゴ状に組み付けられた地中梁用鉄筋先組体９ａと地下スラブ用鉄筋先組体９ｂとを一体に設置して行ってもよい。
【００２６】
〔その他の実施形態〕
１．本発明による基礎構築方法は、フーチング基礎と、そのフーチング基礎の上縁に接する地下スラブとを構築するために使用してもよい。
２．本発明による基礎構築方法は、各種基礎とその上縁に接する地下スラブとを構築するために利用できる。
【符号の説明】
【００２７】
１  充填型枠部
４  型枠
４ａ  上端部
５  流動化固化材
６，７  表面
９ａ，９ｂ  配筋（鉄筋先組体）
１０  コンクリート
１２  土留め板
１２ａ  上端部
１５  地下スラブ用の捨てコン
Ａ  基礎（地中梁）
Ａ２  基礎の外周面
Ｂ  地下スラブ
Ｂ１  地下スラブの下面
Ｇ  地盤
【図１】
2015055089.tif 000003
【図２】
2015055089.tif 000004
【図３】
2015055089.tif 000005
【図４】
2015055089.tif 000006
【図５】
2015055089.tif 000007
【図６】
2015055089.tif 000008
【図７】
2015055089.tif 000009
【図８】
2015055089.tif 000010
【図９】
2015055089.tif 000011